(57)【要約】【課題】ユニット内の電気使用をモニタリングする電気モニタリング・システムを提供する。【解決手段】本電気モニタリング・システムは、ユニットに関連付けられたスマート・デバイスから電気使用レポートを受信するよう構成されたトランシーバ・モジュールを含んでいてもよい。電気使用レポートはスマート・デバイスについての電気使用を示してもよい。電気モニタリング・システムは、受信された電気使用レポートに基づいて、そのユニットのついてのユニット電気使用レポートを生成するよう構成された決定モジュールをも含んでいてもよい。ユニット電気使用レポートはそのユニットについての電気使用を示してもよい。前記トランシーバ・モジュールはさらに、そのユニットについての電気の提供者に前記ユニット電気使用レポートを送信するよう構成されていてもよい。【選択図】図１
2013258896.tif 000002
【特許請求の範囲】
【請求項１】
ユニット内の電気使用をモニタリングする電気モニタリング・システムであって：
ユニットに関連付けられたスマート・デバイスから、該スマート・デバイスについての電気使用を示す電気使用レポートを受信するよう構成されたトランシーバ・モジュールと；
受信された電気使用レポートに基づいて、前記ユニットについての電気使用を示す、前記ユニットのついてのユニット電気使用レポートを生成するよう構成された決定モジュールとを有しており、
前記トランシーバ・モジュールはさらに、前記ユニットについての電気の提供者に前記ユニット電気使用レポートを送信するよう構成されている、
システム。
【請求項２】
前記電気使用レポートが、前記スマート・デバイスの電気使用に影響する前記スマート・デバイスに関連する人間挙動に基づく、請求項１記載のシステム。
【請求項３】
前記ユニットにおける電気生成を検出するよう構成された電気検出モジュールをさらに有する、請求項１記載のシステムであって、
前記決定モジュールは、前記ユニット電気使用レポートを前記ユニットにおいて生成される電気に基づいて生成するよう構成されている、システム。
【請求項４】
前記ユニットに関連付けられた非スマート・デバイスの電気使用の変化を検出するよう構成された電気検出モジュールをさらに有する、請求項１記載のシステムであって、
前記ユニット電気使用レポートは、前記非スマート・デバイスの電気使用の変化に基づく、システム。
【請求項５】
前記電気使用レポートに基づいて前記スマート・デバイスに関連付けられた装置および前記ユニットの将来の電気使用を予測するよう構成された予測モジュールをさらに有する、請求項１記載のシステム。
【請求項６】
前記ユニット電気使用レポートが、前記ユニットによって使用される電気の量に影響した過去の人間挙動に基づく、請求項１記載のシステム。
【請求項７】
前記ユニットについての電気の提供者からの低下した電気供給の指標に基づいて、前記スマート・デバイスを含む、前記ユニットに関連付けられた複数のスマート・デバイスのうちの一つまたは複数を、低下した電気使用のために選択するよう構成された需要応答モジュールをさらに有する、請求項１記載のシステム。
【請求項８】
電気使用をモニタリングする方法であって：
ユニットに関連付けられたスマート・デバイスから、該スマート・デバイスについての電気使用を示す電気使用レポートを受信する段階と；
受信された電気使用レポートに基づいて、前記ユニットについての電気使用を示す、前記ユニットのついてのユニット電気使用レポートを生成する段階と；
前記ユニットについての電気の提供者に前記ユニット電気使用レポートを送信する段階とを含む、
方法。
【請求項９】
前記ユニットにおいて生成された電気の指標を受信する段階をさらに含む、請求項８記載の方法であって、
前記ユニット電気使用レポートを前記ユニットにおける電気生成の前記指標に基づく、
方法。
【請求項１０】
前記ユニットに関連付けられた非スマート・デバイスの電気使用の変化を検出する段階をさらに含む、請求項８記載の方法であって、
前記ユニット電気使用レポートは、前記非スマート・デバイスの電気使用の変化に基づく、
方法。
【請求項１１】
前記電気使用レポートに基づいて前記スマート・デバイスに関連付けられた装置および前記ユニットの将来の電気使用を予測する段階をさらに含む、請求項８記載の方法。
【請求項１２】
前記ユニット電気使用レポートが、前記ユニットによって使用される電気の量に影響した過去の人間挙動に基づく、請求項８記載の方法。
【請求項１３】
前記ユニットについての電気の提供者から低下した電気供給の指標を受信する段階と、前記スマート・デバイスを含む、前記ユニットに関連付けられた複数のスマート・デバイスから少なくとも一つのスマート・デバイスを、低下した電気使用のために選択する段階とを含む、請求項８記載の方法。
【請求項１４】
電気生成を制御する方法であって：
ユニットのユニット電気使用レポートを受信する段階であって、前記ユニット電気使用レポートは前記ユニットに関連付けられたスマート・デバイスからの電気使用レポートに少なくとも部分的に基づく、段階と；
前記ユニット電気使用レポートに基づいて電気生成を調整する段階とを含む、
方法。
【請求項１５】
エネルギー・モニタリング・システムにおいて使うスマート・デバイスであって：
当該スマート・デバイスについての電気使用を示す電気使用レポートを生成するよう構成された決定モジュールと；
前記電気使用レポートを、当該スマート・デバイスが関連付けられているユニットのためのエネルギー・モニタリング・システムに送信するよう構成されたトランシーバ・モジュールとを有する
スマート・デバイス。
【請求項１６】
前記ユニットが当該スマート・デバイスに電気を供給するインフラストラクチャーを含む、請求項１５記載のスマート・デバイス。
【請求項１７】
当該スマート・デバイスについての電気使用が、当該スマート・デバイスのある動作プロファイルについてのあらかじめ決定された量の電気使用に基づく、請求項１５記載のスマート・デバイス。
【請求項１８】
当該スマート・デバイスの前記動作プロファイルが：待機プロファイル、機能プロファイル、機能サスペンド・プロファイルまたは電源オフ・プロファイルのうちの任意のものを含む、請求項１５記載のスマート・デバイス。
【請求項１９】
当該スマート・デバイスの過去の電気使用に基づいて当該スマート・デバイスについての電気使用を予測するよう構成された予測モジュールをさらに有する、請求項１５記載のスマート・デバイス。
【請求項２０】
当該スマート・デバイスとのユーザー対話を受領するよう構成されたインターフェース・モジュールをさらに有する、請求項１５記載のスマート・デバイスであって、
前記予測された量の電気使用が、当該スマート・デバイスの電気使用に影響した当該スマート・デバイスとの過去のユーザー対話に基づく、
スマート・デバイス。
【発明の詳細な説明】
【技術分野】
【０００１】
本稿で論じる実施形態はスマートグリッドに関する。
【背景技術】
【０００２】
ますます多くの消費者製品が動作に電気を必要とするようになるにつれ電気の使用は増え続ける。電力会社のような電気提供者が直面する増え続ける電気使用に関する一つの課題は、電気需要を予測することである。使用されるより多くの電気が生成されれば、余剰の電気は、効果的に保存することができないことがあるので、無駄になることがある。さらに、使用されるより多くの電気が生成されれば、送電網内のノードの電圧周波数が通常の動作範囲を越えることがあり、ノードの障害または寿命短縮につながる。
【０００３】
他方、十分な電気が生成されないと、不足生成を埋め合わせるために追加的な発電処理が使用されることがある。こうした追加的な発電処理は運用するのが非常に高価および／または非効率的であることがある。追加的な発電が不足生産を埋め合わせることができない場合、送電網内でのノードにおける電圧周波数は正常の範囲より下に下がることがあり、それは電気提供者のサービスエリアにおける給電制限（brownout）またさらには停電につながることがある。
【０００４】
電気の提供者は、再生可能な発電が、家庭や企業といった局在化した小規模な形でより普及するにつれて、電気需要を予測することにおいても課題に直面することがありうる。
【発明の概要】
【発明が解決しようとする課題】
【０００５】
本願で特許請求される主題は、何らかの欠点を解消するまたは上記のような環境においてのみ動作する実施形態に限定されるものではない。むしろ、この背景は本稿に記載されるいくつかの実施形態が実施されうる一つの例示的内技術を示すためにのみ与えられている。
【課題を解決するための手段】
【０００６】
ある実施形態のある側面によれば、ユニット内の電気使用をモニタリングする電気モニタリング・システムは、ユニットに関連付けられたスマート・デバイスから電気使用レポートを受信するよう構成されたトランシーバ・モジュールを含んでいてもよい。電気使用レポートはスマート・デバイスについての電気使用を示してもよい。電気モニタリング・システムは、受信された電気使用レポートに基づいて、そのユニットのついてのユニット電気使用レポートを生成するよう構成された決定モジュールをも含んでいてもよい。ユニット電気使用レポートはそのユニットについての電気使用を示してもよい。前記トランシーバ・モジュールはさらに、そのユニットについての電気の提供者に前記ユニット電気使用レポートを送信するよう構成されていてもよい。
【０００７】
これらの実施形態の目的および利点は、少なくとも請求項において具体的に指摘される要素、事項および組み合わせによって実現および達成される。
【０００８】
以上の一般的な記述および以下の詳細な記述はいずれも例示的かつ説明的なものであり、請求項に記載される発明を制約するものではないことは理解しておくものとする。
【図面の簡単な説明】
【０００９】
例示的な実施形態は、付属の図面を使ってさらなる具体性と詳細をもって記述および説明される。
【図１】例示的なスマートグリッドのブロック図である。
【図２】図１のスマートグリッドに含まれていてもよいユニットに関連付けられた例示的な電気モニタリング・システムのブロック図である。
【図３】ユニットの電気使用をモニタリングする例示的な方法のフローチャートである。
【図４】電気使用を管理する例示的な方法のフローチャートである。
【図５】図１のスマートグリッドに含まれていてもよい例示的なスマート・デバイスのブロック図である。
【図６】スマート・デバイスの電気使用をモニタリングする例示的な方法のフローチャートである。
【図７】電気使用をモニタリングする例示的な方法のフローチャートである。みな、本稿に記載される少なくともいくつかの実施形態に基づいて構成される。
【発明を実施するための形態】
【００１０】
本稿に記載されるいくつかの実施形態は、住居または商業ビルのようなユニット（unit）内での電気使用を管理する電気モニタリング・システムを含んでいてもよい。電気モニタリング・システムは、そのユニットについての電気使用を示すユニット電気使用レポートを生成するよう構成されていてもよい。ユニット電気使用レポートは、そのユニットについての将来の電気使用の予測をも含んでいてもよい。電気モニタリング・システムはユニット電気使用レポートを、電力会社のような、そのユニットについての電気の提供者に送ってもよい。電気の提供者は、その発電の必要性を、受信されたユニット電気使用レポートおよび当該電気提供者のサービスエリア内の他のユニットから受信される他のユニット電気使用レポートに基づかせてもよい。
【００１１】
電気モニタリング・システムは、該電気モニタリング・システムが、機器、消費者電子装置および他の装置といったスマート・デバイスから受信する電気使用レポートに基づいてユニット電気使用レポートを生成してもよい。スマート・デバイスは、その電気使用および／または予測される電気使用を示す電気使用レポートをコンパイルして電気モニタリング・システムに送信するよう構成されていてもよい。電気モニタリング・システムは、当該ユニットの電気使用を決定するために、スマート・デバイスからの電気使用レポートだけを、あるいは当該ユニットに関連付けられた一つまたは複数の非スマート・デバイスの電気使用および当該ユニットで生成された電気の指示と一緒に、使用してもよい。このようにして、電気提供者のサービスエリア内の各ユニットは、電気提供者に粒度の細かい電気需要指示または予測を提供でき、それにより発電を需要とマッチさせることにおける向上した精度が許容される。
【００１２】
本発明の実施形態について、これから付属の図面を参照して説明する。
【００１３】
図１は、本稿に記載される少なくともいくつかの実施形態に基づいて構成された、例示的なスマートグリッド１００のブロック図である。スマートグリッド１００は電気提供者が電気を提供する複数のユニット１１０、１２０、１３０を含んでいてもよい。ユニット１１０、１２０、１３０は同じ型のユニット、あるいは異なる型のユニットであってもよく、これに限られないが一戸建ての家、団地、コンドミニアム、タウンホームおよび他の居宅といった住居；これに限られないが店舗およびオフィスといった商業ビル；などまたはそれらの組み合わせであってもよい。スマートグリッド１００内の三つのユニット１１０、１２０、１３０は単に例示的な目的のためである。スマートグリッドは数百ないし数百万のユニットを含んでいてもよい。
【００１４】
ユニット１１０、１２０、１３０のそれぞれは、それぞれの電気モニタリング・システム１１２、１２２、１３２を含んでいてもよい。ユニット１１０、１２０、１３０のそれぞれは、ユニット１１０のスマート・デバイス１１４、１１５、１１６、１１７、ユニット１２０のスマート・デバイス１２４、１２５、１２６、１２７、１２８およびユニット１３０のスマート・デバイス１３４、１３５、１３６のような一つまたは複数のスマート・デバイスをも含んでいてもよい。ユニット１３０はまた、発電のために太陽光、風、雨、潮汐および／または地熱を使用してもよい再生可能発電機のような発電機１３７をも含んでいてもよい。
【００１５】
スマート・デバイス１１４〜１１７、１２４〜１２８、１３４〜１３６は電気を消費し、電気使用レポートを生成するよう構成されたデバイスを含んでいてもよい。スマート・デバイスは、中でも冷蔵庫、洗濯機、乾燥器、ストーブ、オーブン、電子レンジ、食器洗い機、トースター、コーヒーメーカー、温水器、暖房機、暖房炉、エアコン・ユニットといった機器；中でもサウンド・システム、DVDおよびブルーレイ・プレーヤー、テレビジョン、デスクトップ・コンピュータ、ラップトップ・コンピュータ、ケーブル・ボックス、ゲーム・コンソールといった消費者電子装置ならびに他の装置を含んでいてもよい。スマート・デバイスによって生成される電気使用レポートは、スマート・デバイスの現在の動作プロファイルに基づいてスマート・デバイスの電気使用を示してもよい。たとえば、洗濯機は、あるサイクルまたはモードが選択されたとき、ある時間期間にわたって消費する電気量を知ることができる。電気使用レポートは、この時間期間についての洗濯機の電気使用を示してもよい。代替的または追加的に、スマート・デバイスによって生成される電気使用レポートはスマート・デバイスについての現在の動作プロファイルを示し、電気使用は示さなくてもよい。
【００１６】
いくつかの実施形態では、電気使用レポートは、スマート・デバイスの予測される電気使用を、該スマート・デバイスの現在の動作プロファイルおよび／または該スマート・デバイスに関するユーザーの挙動に基づいて示してもよい。たとえば、電子レンジは、該電子レンジのユーザーがある時間の長さについてタイマーをセットするときに消費する電気量を知ることができる。しかしながら、電子レンジは、タイマー満了まで電子レンジを稼働させないという電子レンジのユーザーのパターンに基づいて、より少ない電気が使用されることがありうると予測してもよい。電気使用レポートは、電子レンジの電気使用および／または電子レンジの予測される電気使用を示してもよい。
【００１７】
電気使用レポートを生成したのち、スマート・デバイス１１４〜１１７、１２４〜１２８、１３４〜１３６のそれぞれは、その電気使用レポートを、対応する電気モニタリング・システム１１２、１２２、１３２に送るよう構成されていてもよい。
【００１８】
電気モニタリング・システム１１２、１２２、１３２は、それぞれのユニット１１０、１２０、１３０の電気使用をモニタリングし、それぞれのユニット１１０、１２０、１３０の電気使用および／または予測される電気使用を示すユニット電気使用レポートを生成するよう構成されていてもよい。説明の簡単のため、ここでは電気モニタリング・システム１３２のみを参照する。他の電気モニタリング・システム１１２、１２２は電気モニタリング・システム１３２と同様に機能しうる。
【００１９】
電気モニタリング・システム１３２はスマート・デバイス１３４、１３５、１３６から電気使用レポートを受け取るよう構成されていてもよい。スマート・デバイス１３４、１３５、１３６からの電気使用レポートがスマート・デバイス１３４、１３５、１３６についての現在の動作プロファイルを示すが、スマート・デバイス１３４、１３５、１３６についての電気使用は示さない場合、電気モニタリング・システム１３２は、スマート・デバイス１３４、１３５、１３６の現在の動作プロファイルに基づいてスマート・デバイス１３４、１３５、１３６の電気使用を決定してもよい。電気モニタリング・システム１３２はまた、発電機１３７の電気生成がもしあればそれを検出するよう構成されていてもよい。代替的または追加的に、電気モニタリング・システム１３２は、ユニット１３０に関連付けられた非スマート・デバイスの電気使用における変化がもしあればこれを検出するよう構成されていてもよい。たとえば、電気モニタリング・システム１３２は、電球のような非スマート・デバイスの電気使用における変化を、該電球がオンまたはオフにされたときに検出してもよい。スマート・デバイス１３４、１３５、１３６からの受信された電気使用レポート、受信された電気使用レポートに基づくスマート・デバイス１３４、１３５、１３６の決定された電気使用、検出された電気生成およびユニット１３０に関連付けられた非スマート・デバイスの電気使用の検出された変化に基づいて、電気モニタリング・システム１３２はユニット１３０の電気使用を反映するユニット電気使用レポートを生成してもよい。
【００２０】
いくつかの実施形態では、電気モニタリング・システム１３２は、将来のユニット１３０の電気使用を予測するよう構成されていてもよい。電気モニタリング・システム１３２は、他の因子もあるが受信された電気使用レポート、検出された電気生成、非スマート・デバイスの検出された電気使用、ユニット１３０によって使用される電気の量に影響した過去の人間の振る舞いに基づいて、ユニット１３０の電気使用を予測してもよい。このようにして、ユニット電気使用レポートは、ユニット１３０の粒度の細かい電気需要指標または予測を提供しうる。
【００２１】
再び電気モニタリング・システム１１２、１２２、１３２を参照するに、ユニット電気使用レポートを生成したのち、ユニット電気使用レポートはユニット１２０、１３０、１４０についての電気の提供者に送信される。ユニット電気使用レポートは、近隣（neighborhood）ネットワーク１４０、公共（public）ネットワーク１５０および提供者（provider）ネットワーク１６０の一つまたは複数によって電気の提供者に送信されてもよい。いくつかの実施形態では、ユニット電気使用レポートは、該レポートがある閾値より大きな電気使用の変化を示す場合にのみユニット１２０、１３０、１４０についての電気の提供者に送信される。電気使用の変化がある閾値より大きいときにレポートを送ることは、ユニット電気使用レポートが電気の提供者に送られるネットワークのネットワーク・トラフィックを軽減する助けになりうる。
【００２２】
近隣ネットワーク１４０は、ネットワーク要素の集合によって形成されてもよい。いくつかの実施形態では、ネットワーク要素はユニット１２０、１３０、１４０に関連付けられたスマート・メーターであってもよい。スマート・メーターは、ユニットの電気使用を判別するために電気の提供者によって使用される電気メーターを含んでいてもよい。いくつかの実施形態では、近隣ネットワーク１４０はワールドワイドウェブのような公共ネットワーク１５０と通信してもよく、それを通じて近隣ネットワーク１４０は提供者ネットワーク１６０と通信する。電気モニタリング・システム１１２、１２２、１３２は、ユニット電気使用レポートを提供者ネットワーク１６０に送るために、近隣ネットワーク１４０内のスマート・メーターによって使用されるネットワーク・プロトコルおよびバックボーンを使ってもよい。代替的または追加的に、電気モニタリング・システム１１２、１２２、１３２はネットワーク接続要素を含んでいてもよく、近隣ネットワーク１４０を形成してもよい。代替的または追加的に、電気モニタリング・システム１１２、１２２、１３２はそれぞれ公共ネットワーク１５０または提供者ネットワーク１６０と直接接続されてもよい。電気の提供者に粒度の細かい電気需要の指示または予測を提供することは、電気の提供者が電気生成を需要によりよくマッチさせることを許容しうる。電気の生成を需要とよりよくマッチさせることにより、電気の過剰生成および不足生成が回避されうる。
【００２３】
図１は、ユニット１１０、１２０、１３０のそれぞれが異なる数のスマート・デバイスを含んでいるところを示している。より一般には、各ユニット１１０、１２０、１３０は同数または異なる数のスマート・デバイスを含んでいてもよく、あるいはユニット１１０、１２０、１３０の部分集合が同数または異なる数のスマート・デバイスを含んでいてもよい。図１はまた、各ユニット１１０、１２０、１３０が電気モニタリング・システムおよび一つまたは複数のスマート・デバイスを含んでいるところを示している。他の実施形態では、スマートグリッド１００内の一つまたは複数のユニットが電気モニタリング・システムおよび／またはスマート・デバイスを含んでいなくてもよい。代替的または追加的に、スマートグリッド１００内のユニットは電気モニタリング・システムを含んでいてもよく、かつスマート・デバイスを全く含まなくてもよい。代替的または追加的に、スマートグリッド１００内のユニットは、発電機を含んでいてもいなくてもよい。スマートグリッド内のユニットのすべての異なる構成が本開示によって考えられている。
【００２４】
図２は、本稿に記載される少なくともいくつかの実施形態に基づく、図１のスマートグリッド１００内に含まれていてもよいユニット２００に関連付けられた例示的な電気モニタリング・システム２２０のブロック図である。電気モニタリング・システム２２０とともに、第一のスマート・デバイス２４０、第二のスマート・デバイス２５０、第三のスマート・デバイス２６０、発電機２８０および電気メーター２７０もユニット２００に関連付けられていてもよい。いくつかの実施形態では、電気モニタリング・システム２２０は図１の電気モニタリング・システム１１２、１２２、１３２と同様であるおよび／またはこれに対応していてもよい。代替的または追加的に、第一、第二および第三のスマート・デバイス２４０、２５０、２６０は図１のスマート・デバイス１１４〜１１７、１２４〜１２８、１３４〜１３６と同様であるおよび／またはこれに対応していてもよい；発電機２８０は図１の発電機１３７と同様であるおよび／またはこれに対応していてもよい；ユニット２００は図１のユニット１１０、１２０、１３０と同様であるおよび／またはこれに対応していてもよい。
【００２５】
電気モニタリング・システム２２０はこれに限られないが、トランシーバ・モジュール２２２、電気検出モジュール２２４、予測モジュール２２６、決定モジュール２２８、需要応答モジュール２３２、インターフェース・モジュール２３４、プロセッサ２３６およびメモリ２３８を含んでいてもよい。
【００２６】
トランシーバ・モジュール２２２は第一、第二および第三のスマート・デバイス２４０、２５０、２６０のそれぞれから電気使用レポートを受信するよう構成されていてもよい。いくつかの実施形態では、トランシーバ・モジュール２２２は無線ネットワークを通じて電気使用レポートを受信するよう構成されていてもよい。たとえば、トランシーバ・モジュール２２２および第一、第二および第三のスマート・デバイス２４０、２５０、２６０は、潜在的に他にもある諸規格のうち、たとえばIEEE802.11またはIEEE802.15規格を使う無線ネットワークを通じて接続されてもよい。代替的または追加的に、トランシーバ・モジュール２２２および第一、第二および第三のスマート・デバイス２４０、２５０、２６０は、第一、第二および第三のスマート・デバイス２４０、２５０、２６０およびユニット２００内の他の電気デバイスに電気を搬送するために使われる導体を通じて通信を送ることによって通信してもよい。トランシーバ・モジュール２２２は、第一、第二および第三のスマート・デバイス２４０、２５０、２６０からの電気使用レポートを、予測モジュール２２６、電気検出モジュール２２４および／または決定モジュール２２８に送ってもよい。
【００２７】
電気検出モジュール２２４は発電機２８０によって生成される電気を検出するよう構成されていてもよい。いくつかの実施形態では、発電機２８０は電気を生成して電気をユニット２００に供給してもよい。電気検出モジュール２２４は発電機２８０によって生成された電気の量を検出してもよい。代替的または追加的に、発電機２８０は、発電機２８０によって生成された電気の量を示す信号をトランシーバ・モジュール２２２に送ってもよい。発電機２８０によって送られた信号は、生成される電気の量および／または生成されるであろう電気の量の予測を示してもよい。
【００２８】
電気検出モジュール２２４はさらに、ユニット２００に関連付けられた非スマート・デバイスの電気使用の変化を検出するよう構成されていてもよい。非スマート・デバイスは、電気を使うが電気使用レポートを生成し電気モニタリング・システム２２０に送ることをしない、ユニット２００に関連付けられたいかなるデバイスであってもよい。非スマート・デバイスの電気使用の変化を検出するために、電気検出モジュール２２４は電気メーター２７０と通信してもよい。電気メーター２７０は、ユニット２００の電気使用の変化を決定できる、スマート・メーターまたは他の何らかの型の電気メーターであってもよい。
【００２９】
電気メーター２７０は、ユニット２００の電気使用の変化を電気検出モジュール２２４に示してもよい。電気検出モジュール２２４は、第一、第二および第三のスマート・デバイス２４０、２５０、２６０から受信される電気使用レポートに基づいて、電気使用のその変化が、スマート・デバイスまたは非スマート・デバイスがその電気使用を変えたために起こったのかどうかを判定してもよい。代替的または追加的に、電気検出モジュール２２４は、その変化が非スマート・デバイスによって引き起こされたかどうかを、電気使用のシグネチャを解析してその変化がスマート・デバイスまたは非スマート・デバイスに関連付けられるかどうかを判定することによって判定してもよい。電気検出モジュール２２４は、もしあれば電気使用の変化および生成された電気を示すデータを決定モジュール２２８および／または予測モジュール２２６に送ってもよい。
【００３０】
予測モジュール２２６は、他の因子もあるがユニット２００の過去の電気使用、ユニット２００の電気使用に関連付けられた人間の振る舞い、環境条件、発電機２８０による発電、スマート・デバイスおよび／または非スマート・デバイスの間の関連に基づいて、ユニット２００の将来の電気使用を予測するよう構成されていてもよい。いくつかの実施形態では、予測モジュール２２６は、ユニット２００の電気使用のモデルを構築することによって将来の電気使用を予測してもよい。たとえば、予測モジュール２２６は、サポート・ベクター・マシン、人工ニューラル・ネットワークに基づく機械学習を使って、または他の型の機械学習を使ってモデルを構築してもよい。
【００３１】
予測モジュール２２６は、複数の源から、電気使用を予測するためのモデルを構築するためのデータを収集してもよい。これらの源のいくつかは、他の源もあるが、第一、第二および第三のスマート・デバイス２４０、２５０、２６０；電気検出モジュール２２４；ワールドワイドウェブのようなネットワーク；インターフェース・モジュール２３４を含んでいてもよい。たとえば、第一、第二および第三のスマート・デバイス２４０、２５０、２６０は、第一、第二および第三のスマート・デバイス２４０、２５０、２６０との人間の対話に関する情報を送ってもよい。第一、第二および第三のスマート・デバイス２４０、２５０、２６０との人間の対話は、第一、第二および第三のスマート・デバイス２４０、２５０、２６０についての使用のパターンおよび／またはユニット２００内の電気使用に関する他の人間挙動を示しうる。
【００３２】
いくつかの実施形態では、第一、第二および第三のスマート・デバイス２４０、２５０、２６０は自分自身の電気使用についての予測を実行し、予測された電気使用を、第一、第二および第三のスマート・デバイス２４０、２５０、２６０との人間の対話のデータとともに、電気使用レポートにおいてトランシーバ・モジュール２２２に送ってもよい。予測モジュール２２６は、電気使用レポートを、人間の対話のデータとともに、ユニット２００についての電気使用を予測するために使ってもよい。代替的または追加的に、予測モジュール２２６は第一、第二および第三のスマート・デバイス２４０、２５０、２６０についての電気使用の予測を、第一、第二および第三のスマート・デバイス２４０、２５０、２６０からトランシーバ・モジュール２２２に渡された人間の対話のデータに基づいて行ってもよい。第一、第二および第三のスマート・デバイス２４０、２５０、２６０についての電気使用の予測についての議論は図５および図６との関連で下記で与えられる。
【００３３】
次は、予測モジュール２２６がスマート・デバイスからの人間の対話のデータを使う例である。ケーブル・ボックスがスマート・デバイスであってもよく、ケーブル・ボックス・ユーザーのお気に入りの番組（たとえば視聴頻度から決定される）およびお気に入りの番組の時間およびケーブル・ボックスの予測される電気使用を、電気使用レポートにおいて送られる形で報告してもよい。このデータに基づいて、予測モジュール２２６はテレビジョンおよび該テレビジョンに接続されたサウンド・システムについての、ケーブル・ボックス・ユーザーのお気に入りの番組時間と一致する時間についての電気使用を予測してもよい。テレビジョンおよびサウンド・システムは、ケーブル・ボックス・ユーザーのお気に入りの番組を見るためにケーブル・ボックスと一緒に使用されうるからである。さらに、予測モジュール２２６は、それらの時間の間のユニット２００についての電気使用を、履歴電気使用に基づいて予測してもよい。たとえば、予測モジュール２２６は、ケーブル・ボックス・ユーザーのお気に入りの番組の時間の間は、ケーブル・ボックス・ユーザーが、掃除機かけ、ストーブでの料理またはコンピュータ利用といった他の電気消費行動を行わないと予測してもよい。
【００３４】
次は、予測モジュール２２６がネットワークからのデータを使う例である。予測モジュール２２６は、学校の休みまたは休校に関するネットワークからの情報を受信してもよい。この情報に基づいて、予測モジュール２２６は、ユニット２００に関連付けられた人（または人の集合）がユニット２００にいる増大した時間のため、日中でのユニット２００の電力使用の増大を予測してもよい。もう一つの例として、予測モジュール２２６は、ユニット２００に関連付けられた人間についてのカレンダー情報を受信してもよい。このカレンダー情報に基づいて、予測モジュール２２６は、その人がいつ休暇にはいる、または在宅しないかを知りうる。予測モジュール２２６はこれらの時間の間のユニット２００の低下した電気使用を予測してもよい。たとえば、予測モジュール２２６はこれらの時間の間は、冷蔵庫および／または時計などといった他の軽微な電気使用装置のみがこの期間中は電気を消費しうると想定してもよい。もう一つの例として、予測モジュール２２６は、ユニット２００がオフィス空間である場合、ユニット２００において予定されている会議室に関するネットワークからの情報を受信してもよい。この情報に基づいて、予測モジュール２２６は、プロジェクター、ビデオ会議、コンピュータおよび他の電気消費装置の使用に起因するユニット２００の電気使用の増大を予測してもよい。
【００３５】
次は、予測モジュール２２６が電気使用を予測するために履歴データを使う例である。予測モジュール２２６はある期間にわたって電気使用を記録してもよい。記録された電気使用は、ユニット２００が平日の午前中に平均量の電気を使うことを示してもよい。この履歴上の平均に基づいて、予測モジュール２２６はユニット２００が平日の午前中にこの量の電気を使い続けると予測してもよい。もう一つの例として、ユニット２００がオフィス・ビルの場合、予測モジュール２２６は、日中のユニット２００の電気使用を決定するために電気使用を記録してもよい。記録された電気使用は、ユニット２００が平日の間はある平均量の電気を使い、週末の間はそれより少ない電気を使うことを示してもよい。さらに、記録された電気使用は、ユニット２００は昼休み時間の間および午後遅くには、午前中および午後の早い時間より少ない電気を使うことを示してもよい。この履歴上の平均に基づいて、予測モジュール２２６はユニット２００が上記の時間の間にはこの量の電気を使い続けると予測してもよい。
【００３６】
次は、予測モジュール２２６が電気使用を予測するためにスマート・デバイスおよび／または非スマート・デバイスの間の関連を使う例である。スマート・デバイスおよび／または非スマート・デバイスの間の関連は、ある装置電気使用を増大させたときに別の装置が電気使用を増大させていたことがありうることを示してもよい。たとえば、洗濯機の使用は、洗濯された品目を乾燥させるために近い将来における乾燥器の増大した電気使用を示しうる。もう一つの例として、コーヒーメーカーの使用は、朝食を作るためにトースター、ストーブおよび／または電子レンジの使用を示しうる。もう一つの例として、オーブンの使用は、オーブンで調理される食品を集めるために冷蔵庫が開かれることに起因する、およびオーブンを使うことによって引き起こされる冷蔵庫近くの上昇した温度に起因する、冷蔵庫の増大した電気使用や、オーブンで調理中のものを用意するために使われる用具および他の物品を洗うための食器洗い機の増大した電気使用、オーブンによって生成されるユニット２００における増大した熱のための夏期の月の間のエアコンの増大した電気使用、オーブンによって生成されるユニット２００における増大した熱のための冬期の月における暖房炉または他の暖房装置の減少した電気使用を示しうる。もう一つの例として、ユニット２００がオフィスまたはオフィス空間である場合、ユニット２００におけるコンピュータの使用は、ユニット２００における照明の使用、コピー機の使用およびオフィスの暖房および／または冷房システムの増大した使用を示しうる。さらに、ユニット２００におけるコンピュータの使用は、オフィス内のサーバーの使用を示しうるが、これはコンピュータからの要求を処理するためのサーバーの増大した電気使用につながりうる。
【００３７】
予測モジュール２２４は、種々の時間の長さにわたるユニット２００の電気使用を予測しうる。たとえば、予測モジュール２２４は１時間、２時間、１２時間、１日または他の何らかの期間にわたるユニット２００の電気使用を予測してもよい。予測モジュール２２４はまた、設定された間隔で、または予測を変える新たなデータが利用可能なときに、予測を更新してもよい。予測モジュール２２４はユニット２００の予測される電気使用を決定モジュール２２８に送ってもよい。いくつかの実施形態では、ユニット２００の予測される電気使用はユニット２００の電気使用全体を含んでいてもよく、第一、第二および第三のスマート・デバイス２４０、２５０、２６０からの電気使用レポートを組み込むまたは該電気使用レポートに基づいていてもよい。他の実施形態では、ユニット２００の予測される電気使用は第一、第二および第三のスマート・デバイス２４０、２５０、２６０からの電気使用レポートを組み込まないまたは該電気使用レポートに基づかなくてもよい。
【００３８】
決定モジュール２２８は、ユニット２００についてのユニット電気使用レポートを生成するよう構成されていてもよい。決定モジュール２２８はユニット２００の現在の電気使用、予測モジュール２２４から受信されたユニット２００の予測された電気使用；ユニット２００の予測される電気使用に組み込まれていようとユニット２００の予測される電気使用と別個であろうと、第一、第二および／または第三のスマート・デバイス２４０、２５０、２６０からの電気使用レポート；および発電機２８０によって生成された電気の量または生成される電気の予測される量を、ユニット電気使用レポートを生成するために使ってもよい。
【００３９】
いくつかの実施形態では、第一、第二および／または第三のスマート・デバイス２４０、２５０、２６０からの電気使用レポートの一つまたは複数は、現在の動作プロファイルの指示を含むが電気使用は含まなくてもよい。これらおよび他の実施形態において、決定モジュール２２８は、電気使用レポートが現在の動作プロファイルを含むが電気使用を含まないそのスマート・デバイスの電気使用を決定するよう構成されていてもよい。決定モジュール２２８は、そのスマート・デバイスについての電気使用の決定された量をユニット電気使用レポートに含めてもよい。たとえば、第一および第二のスマート・デバイス２４０、２５０は電気使用レポートを送ってもよい。第一のスマート・デバイス２４０からの電気使用レポートは、第一のスマート・デバイス２４０の電気使用を示してもよい。第二のスマート・デバイス２５０からの電気使用レポートは、第二のスマート・デバイス２５０の現在の動作プロファイルを示すが電気使用は示さなくてもよい。第二のスマート・デバイス２５０の現在の動作プロファイルに基づいて、決定モジュール２２８は第二のスマート・デバイス２５０の電気使用を計算してもよい。決定モジュール２２８は次いで、第一および第二のスマート・デバイス２４０、２５０両方の電気使用を含むユニット電気使用レポートを生成してもよい。
【００４０】
いくつかの実施形態では、電気モニタリング・システム２２０は予測モジュール２２６を含まなくてもよい。これらおよび他の実施形態において、決定モジュール２２８は第一、第二および／または第三のスマート・デバイス２４０、２５０、２６０からの電気使用レポートを、受領された、もしあれば生成されたおよび非スマート・デバイスによって使われる電気の量とともに使って、ユニット電気使用レポートを生成してもよい。決定モジュール２２８はユニット電気使用レポートをトランシーバ・モジュール２２２に送ってもよい。
【００４１】
いくつかの実施形態では、ユニット電気使用レポートは、個々の装置の電気使用または生成に関する情報を含まなくてもよく、むしろユニット２００の全電気使用の総合であってもよい。全電気使用の総合を含み、追加的な情報を含まないユニット電気使用レポートは、個々の装置電気使用を電気の提供者に報告することに比べ、ユニット２００に関連する人のプライバシーが高まることを許容しうる。
【００４２】
トランシーバ・モジュール２２２はさらに、ユニット電気使用レポートをユニット２００についての電気の提供者に送信するよう構成されていてもよい。トランシーバ・モジュール２２２は、ユニット電気使用レポートを、図１に関して上記で論じたさまざまな構成を使ってまたは異なる仕方でユニット２００についての電気の提供者に送信してもよい。トランシーバ・モジュール２２２はさらに、ユニット２００についての電気の提供者から低下した電気供給の指標を受信するよう構成されていてもよい。トランシーバ・モジュール２２２は需要応答モジュール２３２に低下した電気の供給の指標を送ってもよい。いくつかの実施形態では、トランシーバ・モジュール２２２は、第一、第二および第三のスマート・デバイス２４０、２５０、２６０および電気の提供者に送受信するための単一のインターフェースを含んでいてもよい。他の実施形態では、トランシーバ・モジュール２２２は二つ以上のインターフェースを含んでいてもよい。第一、第二および第三のスマート・デバイス２４０、２５０、２６０に送受信するための一つまたは複数のインターフェースおよび電気の提供者に送受信するための一つまたは複数のインターフェースである。
【００４３】
需要応答モジュール２３２は、電気の提供者からの低下した電気供給の指標を受信し、低下した電気供給の指標に基づいて低下した電気使用のために前記複数のスマート・デバイスの一つまたは複数を選択するよう構成されていてもよい。電気の提供者からの低下した電気供給の指標（indication）は、電気の提供者が、前記提供者が電気を供給するユニット２００および／または他のユニットの現在の需要または現在の予測される需要に合うよう電気を供給することができないことがありうることを示してもよい。代替的または追加的に、低下した電気供給の指標は、低下した電気供給の期間中における電気のコストの上昇を示してもよい。提供者が需要のある電気を供給できないとき、前記提供者は、低下した電気供給の指標を送ることによって、ユニット２００がその現在または将来の電気需要を低下させることを要請してもよい。低下した電気供給の指標は、切り詰めるよう要請される需要の量を示してもよい。いくつかの実施形態では、需要応答モジュール２３２は、低下した電気供給の指標を伴っていない電気のコストの上昇の指標を受け取ってもよい。
【００４４】
需要応答モジュール２３２は、切り詰めるよう要請された需要の量を満たすために、低下した電力使用のために第一、第二および第三のスマート・デバイス２４０、２５０、２６０のうちの一つまたは複数を選択してもよい。代替的または追加的に、需要応答モジュール２３２は、ユニット２００に関連付けられた電気使用についての総コストを減らすよう、増大した電気コストの期間中、低下した電気使用のために第一、第二および第三のスマート・デバイス２４０、２５０、２６０のうちの一つまたは複数を選択してもよい。需要応答モジュール２３２は、現在電気を消費している、または低下した供給の時間の間電気を消費すると予測されている第一、第二および第三のスマート・デバイス２４０、２５０、２６０のうちの一つまたは複数を選択してもよい。第一、第二および第三のスマート・デバイス２４０、２５０、２６０のうちの一つまたは複数を選択したのち、需要応答モジュール２３２は、選択された第一、第二および第三のスマート・デバイス２４０、２５０、２６０に、使用を減らすよう要請を送る。いかにして第一、第二および第三のスマート・デバイス２４０、２５０、２６０が使用低減要請に応えうるかの例が図５に関して記述される。
【００４５】
低下した電気使用のためにデバイスを選択するとき、需要応答モジュール２３２は、低下した供給および／または増大した電気コストの時間中にどのデバイスが電気使用を低減させるべきかに関するユーザーからの入力を考慮してもよい。たとえば、ユーザーは、電気使用についてのコスト閾値またはどのスマート・デバイスの使用が低下した使用の要請を満たすよう切り詰められてもよいかを示してもよい。需要応答モジュール２３２はまた、電気使用を低減させてもよい関連する装置を判別するために、予測モジュール２２６からデータを受け取ってもよい。第二のデバイスの使用が第一のデバイスの使用に依存する場合には、第二のデバイスに関連する第一のデバイスを低下した使用のために選択することによって、需要応答モジュール２３２はさらに使用を低減させることができる。需要応答モジュール２３２が第二のデバイスに使用を減らすよう指令する必要なしに、第一のデバイスによって低減させられた使用に基づいて、第二のデバイスも低下した使用をもつことになるからである。
【００４６】
インターフェース・モジュール２３４はユーザーからの入力を受領するよう構成されていてもよい。たとえば、ユーザーは、低下した電気供給の時間の間に低下した電力使用をもつスマート・デバイスの選択についての選好を入力してもよい。インターフェース・モジュール２３４は、ユニット２００に関連する人にデータを呈示するよう構成されていてもよい。データは、ユニット２００全体の、個々のスマート・デバイスもしくはスマート・デバイス群についての、非スマート・デバイスについての、またはそれらの組み合わせの、過去、現在または予測される将来の電気使用を示してもよい。
【００４７】
いくつかの実施形態では、プロセッサ２３６は、電気モニタリング・システムに本稿に記載される機能および動作を実行させるコンピュータ命令を実行するよう構成されていてもよい。コンピュータ命令は、プロセッサ２３６による実行のためにメモリ２３８中にロードされてもよい。および／または、本稿に記載される機能および動作の実行中に生成、受領または操作されるデータが少なくとも一時的にメモリ２３８に記憶されてもよい。
【００４８】
電気モニタリング・システム２２０は予測モジュール２２６および決定モジュール２２８のようなさまざまな離散的コンポーネントを示しているが、さまざまなコンポーネントは、所望される実装に依存して、追加的なコンポーネントに分割されても、より少数のコンポーネントに組み合わされても、あるいはなしにされてもよい。いくつかの実施形態では、ユニット２００は、図２に示される三つのスマート・デバイス２４０、２５０、２６０より多いまたは少ないスマート・デバイスに関連付けられていてもよい。代替的または追加的に、ユニット２００は発電機２８０に関連付けられていなくてもよい。
【００４９】
図３は、本稿に記載される少なくともいくつかの実施形態に基づいて構成された、ユニットの電気使用をモニタリングする例示的な方法３００のフローチャートである。方法３００は、いくつかの実施形態では、図２の電気モニタリング・システムのような電気モニタリング・システムによって実装されてもよい。たとえば、図２のプロセッサ２３６は、方法３００のブロック３０２、３０４、３０６、３１０、３１２および／または３１４の一つまたは複数によって表される電気使用をモニタリングする動作を実行するためのコンピュータ命令を実行するよう構成されていてもよい。離散的なブロックとして示されているが、さまざまなブロックは、所望される実装に依存して、追加的なブロックに分割されたり、より少数のブロックに組み合わされたり、あるいはなしにされたりしてもよい。
【００５０】
方法３００は、ブロック３０２、３０４および／または３０６の一つまたは複数で始まってもよい。ブロック３０２、３０４および／または３０６は同時にまたは異なる時点で生起してもよく、互いに依存してもしなくてもよい。さらに、ブロック３０２、３０４、３０６の一つまたは複数は方法３００の間に生起してもよい。たとえば、方法３００は、ブロック３０４、３１０および３１２が生起するときに、ブロック３０２および３０６の生起なしに完了してもよい。
【００５１】
ブロック３０２では、ユニットに関連付けられた非スマート・デバイスの電気使用の変化が検出されてもよい。非スマート・デバイスは、電気を使用し、その電気使用を示す電気使用レポートを生成しない任意の装置であってもよい。ユニットは、これに限られないが一戸建ての家、団地、コンドミニアム、タウンホームおよび他の居宅といった住居；これに限られないが店舗およびオフィスといった商業ビル；などまたはそれらの組み合わせであってもよい。
【００５２】
非スマート・デバイスの電気使用の変化は、図２の電気検出モジュール２２４および／または電気メーター２７０のような、ユニットに関連付けられた電気検出モジュールおよび／または電気メーターを使って検出されてもよい。非スマート・デバイスの電気使用の変化が検出されたのち、方法３００はブロック３１０に進む。
【００５３】
ブロック３０４では、ユニットに関連付けられたスマート・デバイスからの電気使用レポートが受信されてもよい。スマート・デバイスは、電気を消費し、該スマート・デバイスの電気使用を示す電気使用レポートを生成し、送信する装置であってもよい。電気使用レポートはスマート・デバイスの予測された将来の電気使用を示してもよい。いくつかの実施形態では、電気使用レポートは、該電気使用レポートにおける変化に関わりなく、スマート・デバイスから設定された間隔で受信されてもよい。代替的または追加的に、電気使用レポートは、スマート・デバイスの電気使用の変化の結果が、電気使用レポートの変化が生じたのちに受領されてもよい。スマート・デバイスから電気使用レポートが受信されたのち、方法３００はブロック３１０に進む。
【００５４】
ブロック３０６では、ユニットにおける電気生成が検出されてもよい。ユニットにおける電気生成は、図２の電気検出モジュール２２４のような電気検出モジュールを使って検出されてもよい。ユニットにおける電気生成を検出したのち、方法はブロック３１０に進む。
【００５５】
ブロック３１０では、ユニットについての電気の提供者によって提供される電気について、電気使用の変化が発生したかどうかが判定される。たとえば、電気生成における増大が非スマート・デバイスの電気使用における増大と同時に、同じ量で発生する場合、そのユニットについての電気の提供者によって提供される電気使用の変化は生じなくてもよい。電気使用の変化が生じる場合、方法３００はブロック３１２に進む。変化が生じない場合には、方法３００は終了する。
【００５６】
ブロック３１２では、そのユニットについてのユニット電気使用レポートが生成される。いくつかの実施形態では、ユニット電気使用レポートはユニットの現在の電気使用を示してもよい。代替的または追加的に、ユニット電気使用レポートはユニットの現在のおよび予測された将来の電気使用を示してもよい。
【００５７】
ブロック３１４では、ユニット電気使用レポートは、電力会社のような、ユニットについての電気の提供者に送信される。ユニット電気使用レポートは、スマート・メーターによって形成される近隣ネットワーク；ワールドワイドウェブのような公共ネットワーク；および／または電気の提供者のネットワークといった一つまたは複数のネットワークを使って電気の提供者に送信されてもよい。いくつかの実施形態では、ユニット電気使用レポートは、該ユニット電気使用レポートが、所定の閾値より大きな当該ユニットについての電気使用の変化を示す場合に、送信されてもよい。ユニット電気使用レポートが、所定の閾値より小さな当該ユニットについての電気使用の変化を示す場合には、ユニット電気使用レポートは電気の提供者に送信されなくてもよい。
【００５８】
当業者は、本稿に開示されるこのおよびその他のプロセスおよび方法について、該プロセスおよび方法において実行される機能は異なる順序で実装されてもよいことを認識するであろう。さらに、概説したステップおよび動作は単に例として与えられているのであって、開示される実施形態の本質を損なうことなく、ステップおよび動作のいくつかが任意的であったり、より少数のステップおよび動作に組み合わされたり、あるいは追加的なステップおよび動作に拡張されたりしてもよい。
【００５９】
たとえば、方法３００は、ユニットにおいて、電気の提供者から低下した電気供給の指示を受け取ることを含んでいてもよい。方法３００はさらに、受信された、低下した電気供給の指示に基づいて、低下した電気使用のために、当該ユニットに関連付けられた一つまたは複数のスマート・デバイスを選択することを含んでいてもよい。低下した使用のための前記一つまたは複数のスマート・デバイスは、他の因子もあるが、ユニットに関連する人間の選好、低下した電気供給の量、前記一つまたは複数のスマート・デバイスの他のスマート・デバイスおよび／または非スマート・デバイスとの関連に基づいて選択されてもよい。
【００６０】
図４は、本稿に記載される少なくともいくつかの実施形態に基づいて構成された、電気使用を管理する例示的な方法４００のフローチャートである。方法４００は、いくつかの実施形態では、図１の提供者ネットワーク１６０のような提供者ネットワークによって実装されてもよい。たとえば、図１の提供者ネットワーク１６０内のプロセッサ（単数または複数）は、方法４００のブロック４０２、４０４、４０６、４０８および／または４１０の一つまたは複数によって表される電気使用を管理する動作を実行するためのコンピュータ命令を実行するよう構成されていてもよい。離散的なブロックとして示されているが、さまざまなブロックは、所望される実装に依存して、追加的なブロックに分割されたり、より少数のブロックに組み合わされたり、あるいはなしにされたりしてもよい。
【００６１】
方法４００は、ブロック４０２で始まってもよい。ここで、ユニット電気使用レポートが受信されてもよい。ユニット電気使用レポートは図２のユニット２００のようなユニットによって生成および送信されてもよい。ユニット電気使用レポートは、該ユニット電気使用レポートを送信したユニットの現在のおよび／または予測される将来の電気使用を含んでいてもよい。
【００６２】
ブロック４０４では、ユニット電気使用レポートを送信したユニットを含むサービスエリアの電気使用が、ユニット電気使用レポートに基づいて更新されてもよい。
【００６３】
ブロック４０６では、サービスエリアの電気使用を満たすために電気生成が調整されてもよいかどうかが判定される。サービスエリアの電気使用を満たすために電気生成が増大させられる必要があるが電気提供者が電気使用を満たすのに十分なだけ電気生成を増大させることができない場合、方法４００はブロック４１０に進んでもよい。電気使用を満たすために電気生成が増大または減少させられる場合、方法４００はブロック４０８に進んでもよい。
【００６４】
ブロック４０８では、電気生成は、サービスエリアの現在のおよび／または予測される電気使用に基づいて調整されてもよい。電気生成は、サービスエリアの電気使用を満たすためにサービスエリアについてより多くのまたはより少ない電気を生成することによって調整されてもよい。
【００６５】
ブロック４１０では、電気使用低下要求がユニットに送信されてもよい。電気使用低下要求は、ユニットにその電気使用を減らすよう要求してもよい。
【００６６】
図５は、本稿に記載される少なくともいくつかの実施形態に基づいて構成された、図１のスマートグリッド１００に含まれていてもよい例示的なスマート・デバイス５００のブロック図である。スマート・デバイス５００は、これに限られないが、決定モジュール５１０、トランシーバ・モジュール５２０、予測モジュール５６０、インターフェース・モジュール５３０、プロセッサ５４０およびメモリ５５０を含んでいてもよい。
【００６７】
スマート・デバイス５００は、電気を消費し、該スマート・デバイス５００の電気使用および／または現在の動作プロファイルを示す電気使用レポートを生成するよう構成された装置であってもよい。スマート・デバイス５００は、中でも冷蔵庫、洗濯機、乾燥器、ストーブ、オーブン、電子レンジ、食器洗い機、トースター、コーヒーメーカー、温水器、暖房機、暖房炉またはエアコン・ユニットといった機器；中でもサウンド・システム、DVDおよびブルーレイ・プレーヤー、テレビジョン、デスクトップ・コンピュータ、ラップトップ・コンピュータ、ケーブル・ボックス、ゲーム・コンソールといった消費者電子装置または他の装置であってもよい。
【００６８】
スマート・デバイス５００は、一つまたは複数の動作プロファイルをもつよう構成されていてもよい。いくつかの実施形態では、これらの動作プロファイルは、これに限られないが、待機プロファイル、機能プロファイル、機能サスペンド・プロファイルおよび電源オフ・プロファイルを含んでいてもよい。いくつかの実施形態では、動作プロファイルは、スマート・デバイス５００についての異なる動作モードについて、複数の異なる動作サブプロファイルを含んでいてもよい。いくつかの実施形態では、スマート・デバイス５００は、機能プロファイルまたはサブプロファイル内に複数の選択可能な動作の範囲を有していてもよい。それぞれの動作プロファイル、動作サブプロファイルおよび／またはそうした動作プロファイルおよびサブプロファイルについての選択された動作の範囲について、スマート・デバイス５００は、前記所定の電気使用を計算するために、メモリ５５０またはスマート・デバイス５００内の他の何らかのメモリに記憶された所定の電気使用情報を有していてもよいし、あるいは一つまたは複数の式、テーブルなどを有していてもよい。
【００６９】
たとえば、スマート・デバイス５００は電子レンジであってもよい。電子レンジは、中でも解凍、再加熱、タイマー調理、出力レベル選択のような複数の異なる動作サブプロファイルをもつ動作プロファイルを含んでいてもよい。異なるサブプロファイルのそれぞれについて、電子レンジのユーザーは、解凍、再加熱、調理などのための時間（すなわち、選択可能な動作の範囲（range  of  operations））を選択してもよい。電子レンジはまた、ユーザーが電子レンジの動作を一時的に停止させるときのためのサスペンド・プロファイルを有していてもよい。電子レンジは、電子レンジが使用中でないときに使われる待機プロファイルをも有していてもよい。これらのプロファイル、サブプロファイルおよびプロファイル内の選択された動作の範囲のそれぞれについて、電子レンジは所定の量の電気を使用してもよい。たとえば、電子レンジは調理するために１０００ワットを１分間使い、解凍するために５００ワットを１分間使い、待機モードでは５ワットを使ってもよい。電子レンジは、各動作プロファイル、動作サブプロファイルおよび／または選択された動作の範囲について使われる電気の所定の量が記憶されているテーブルを、あるいは各動作プロファイル、動作サブプロファイルおよび／または選択された動作の範囲について使われる所定の電気を電子レンジが計算できるようにする一つまたは複数の式を、有していてもよい。
【００７０】
スマート・デバイスの所定の電気使用が既知の動作時間フレームに基づいて記憶または計算されうるスマート・デバイスの他の限定しない例は、中でも、タイマー付きのオーブン、コーヒーメーカー、洗濯機、乾燥器、トースター、エアコン、温水器、ヒーター、冷蔵庫を含む。
【００７１】
インターフェース・モジュール５３０は、スマート・デバイス５００とのユーザー対話を示すデータを受領および／または記録するよう構成されていてもよい。ユーザー入力は、スマート・デバイス５００の動作プロファイル、動作サブプロファイルおよび／または動作プロファイルおよび／またはサブプロファイルについての動作範囲のユーザー選択を含んでいてもよい。ユーザー対話はまた、動作プロファイル、動作サブプロファイルおよび／または動作プロファイルおよび／またはサブプロファイルについての動作範囲の選択の代わりにまたは該選択に加えて、スマート・デバイス５００との他のユーザー対話をも含んでいてもよい。たとえば、ユーザー対話は、ユーザーが動作中にスマート・デバイス５００を停止させることを含んでいてもよい。たとえば、スマート・デバイス５００が乾燥器である場合、ユーザーは乾燥器を選択された乾燥サイクルに設定し、次いでサイクルが完了する前に乾燥器を止めることができる。
【００７２】
インターフェース・モジュール５３０は、ユーザー対話を示すデータを直接または間接に受領および／または記録しうる。たとえば、いくつかの実施形態では、インターフェース・モジュール５３０は、スマート・デバイス５００の動作プロファイルを選択するためにユーザーがタッチまたは制御するパネルであってもよい。代替的または追加的に、インターフェース・モジュール５３０は、ユーザーがタッチまたは制御するパネルから間接的にユーザー対話を示すデータを受領および／または記録してもよい。インターフェース・モジュール５３０は、ユーザー対話を示すデータを、決定モジュール５１０および／または予測モジュール５６０に送ってもよい。
【００７３】
決定モジュール５１０は、インターフェース・モジュール５３０からユーザー対話を示すデータを受け取ってもよい。いくつかの実施形態では、決定モジュール５１０は、時刻や、一日、一週間または一か月などの設定された期間を通じたユーザー対話の頻度や、スマート・デバイス５００とのユーザー対話に関する他の情報を記してもよい。代替的または追加的に、インターフェース・モジュール５３０はユーザー対話に関する他の情報を記してもよく、この情報を決定モジュール５１０に送ってもよい。決定モジュール５１０はこの情報をメモリ５５０または他の何らかのメモリ装置に保存してもよい。
【００７４】
スマート・デバイス５００の選択された動作プロファイル、動作サブプロファイルおよび／または動作プロファイルおよび／またはサブプロファイルについての動作範囲に基づいて、決定モジュール５１０は、プロファイル、サブプロファイルおよび動作範囲についての記憶されている所定の電気使用情報に基づいて、または各動作プロファイル、動作サブプロファイルおよび選択された動作範囲について所定の電気使用を計算するための一つまたは複数の式に基づいて、スマート・デバイス５００の電気使用を決定してもよい。スマート・デバイス５００の電気使用を決定したのち、決定モジュール５１０はスマート・デバイス５００の電気使用を示す電気使用レポートを生成してもよい。電気使用レポートは、ユーザー対話を示すデータおよび／またはスマート・デバイス５００とのユーザー対話についての情報をも含んでいてもよい。代替的または追加的に、決定モジュール５１０は、スマート・デバイス５００の電気使用を示すことなく、スマート・デバイス５００の動作プロファイルを示す電気使用レポートを生成してもよい。
【００７５】
いくつかの実施形態では、スマート・デバイス５００の電気使用は、予測モジュール５６０によって決定されてもよい。これらおよび他の実施形態において、予測モジュール５６０はスマート・デバイス５００についての電気使用を予測し、予測された電気使用を決定モジュール５１０に送ってもよい。決定モジュール５１０は、電気使用レポートに、スマート・デバイス５００の予測される電気使用を含めてもよい。電気使用レポートを生成したのち、決定モジュール５１０はトランシーバ・モジュール５２０に電気使用レポートを送ってもよい。
【００７６】
決定モジュール５１０は、スマート・デバイス５００に関連する電気モニタリング・システムからの使用低減要求を処理するようさらに構成されていてもよい。いくつかの実施形態では、使用低減要求は、スマート・デバイスに、電源オフ、待機または機能サスペンド・プロファイルのような特定の動作プロファイルを使って動作するよう指令してもよい。代替的または追加的に、使用低減要求は要求される電気低減量を含んでいてもよく、決定モジュール５１０が要求される電気低減を満たすための動作プロファイルを選択することを許容してもよい。
【００７７】
トランシーバ・モジュール５２０は、電気モニタリング・システムに電気使用レポートを送り、電気モニタリング・システムから使用低減要求を受信するよう構成されていてもよい。トランシーバ・モジュール５２０はまた、スマート・デバイス５００との人間の対話に関するデータを、当該スマート・デバイス５００が関連付けられているユニットについての電気モニタリング・システムに送るようにも構成されていてもよい。いくつかの実施形態では、トランシーバ・モジュール５２０は、IEEE802.11、IEEE802.15のような所与の規格または他の何らかの規格に従って無線ネットワークを通じてデータを送受信してもよい。代替的または追加的に、トランシーバ・モジュール５２０は、スマート・デバイス５００が関連付けられているユニットのための電力を搬送するために使われる導体を通じてデータを送受信してもよい。
【００７８】
予測モジュール５６０は、インターフェース・モジュール５３０によって収集されるスマート・デバイス５００との現在および過去のユーザー対話、スマート・デバイス５００についての各動作プロファイル、動作サブプロファイルおよび／またはそれらの動作プロファイルおよび／またはサブプロファイルについての選択された動作範囲についての所定の電気使用、スマート・デバイス５００に関連付けられた電気モニタリング・システムから受信されるデータ、ワールドワイドウェブのようなネットワークからのデータおよび他の情報源に基づいて、スマート・デバイス５００の将来の電気使用を予測するよう構成されていてもよい。電気モニタリング・システムからのデータは、スマート・デバイス５００に関連付けられていてもよい他の装置に関する人間の振る舞いまたはスマート・デバイス５００が関連付けられていてもよいユニットの電気使用に関する一般的な人間の振る舞いを含んでいてもよい。予測モジュール５６０は図２の予測モジュール２２６と同様に機能してもよい。予測モジュール５６０は、スマート・デバイス５００についての予測される電気使用を、電気使用レポートに含めるために、決定モジュール５１０に送ってもよい。
【００７９】
いくつかの実施形態では、予測モジュール５６０は、スマート・デバイス５００の電気使用のモデルを構築することによって将来の電気使用を予測してもよい。たとえば、予測モジュール５６０は、サポート・ベクター・マシン、人工ニューラル・ネットワークに基づく機械学習、または上記の型のデータを使う他の型の機械学習を使ってモデルを構築してもよい。
【００８０】
予測モジュール５６０の動作の例として、予測モジュール５６０は、スマート・デバイスについての選択された動作プロファイルおよび動作範囲についてあらかじめ決定された電気使用を判別してもよい。過去のユーザー対話に基づいて、予測モジュール５６０は、ユーザーが、スマート・デバイスに、選択された動作プロファイルをフル動作範囲にわたって実行させないことがありうると予測してもよい。予測モジュール５６０は、電気使用を、前記あらかじめ決定された量からしかるべく低下させてもよい。
【００８１】
たとえば、スマート・デバイス５００は電子レンジであってもよい。ユーザーは１分の調理時間を選択してもよい。履歴上、ユーザーが１分の調理時間を選択するとき、ユーザーはたったの１５秒、３０秒または４５秒後に電子レンジを停止させることがありうる。予測モジュール５６０は、１分フルに電子レンジが動作する前にユーザーが電子レンジを止めるであろうと予測し、よって１分の調理についての前記あらかじめ決定された量より少ない電気使用を決定してもよい。もう一つの例として、スマート・デバイス５００はケーブル・ボックスであってもよい。ユーザーは、１時間の長さの番組を、見るために選択してもよい。履歴上、ユーザーが１時間の番組を選択すると、そのユーザーは番組全体を視聴することがあるが、金曜日の７時から８時の間にはそのユーザーは平均３５分しか番組を視聴しないことがありうる。金曜日には、予測モジュール５６０はそのユーザーが３５分視聴すると予測し、よって１時間の番組についての前記あらかじめ決定された量より少ない電気使用を決定してもよい。
【００８２】
いくつかの実施形態では、プロセッサ５４０は、スマート・デバイス５００に、本稿に記載される機能および動作を実行させるコンピュータ命令を実行するよう構成されていてもよい。コンピュータ命令は、プロセッサ５４０による実行のためにメモリ５５０にロードされてもよく、および／または本稿に記載される機能および動作の実行中に生成、受信または操作されるデータが少なくとも一時的にメモリ５５０に記憶されてもよい。
【００８３】
上記で論じたスマート・デバイス５００は、さまざまな利点を提供しうる。たとえば、スマート・デバイス５００の製造業者は、電気モニタリング・システムのような外部装置が選択された動作プロファイルについての電気使用を決定できるようにするために装置動作を開示する必要がなくてもよい。スマート・デバイス５００が自分の電気使用および／または予測される電気使用を決定し、送ることができるからである。代替的または追加的に、スマート・デバイス５００がアップグレードされるまたはスマート・デバイス５００が新たにあるユニットに関連付けられる場合、そのユニットに関連付けられた電気管理システムは、スマート・デバイス５００の電気使用を決定するためにアップグレードや変更される必要がない。スマート・デバイス５００が自分の電気使用を電気管理システムに報告できるからである。
【００８４】
スマート・デバイス５００は予測モジュール５６０および決定モジュール５１０のようなさまざまな離散的なコンポーネントを示しているが、さまざまなコンポーネントは、所望される実装に依存して、追加的なコンポーネントに分割されたり、より少数のコンポーネントに組み合わされたり、あるいはなしにされたりしてもよい。
【００８５】
図６は、本稿に記載される少なくともいくつかの実施形態に基づいて構成された、スマート・デバイスの電気使用をモニタリングする例示的な方法６００のフローチャートである。方法６００は、いくつかの実施形態では、図５のスマート・デバイス５００のようなスマート・デバイスによって実装されてもよい。たとえば、図５のスマート・デバイス５００のプロセッサ５４０は、方法６００のブロック６０２、６０４、６０６および／または６０８の一つまたは複数によって表されるスマート・デバイスの電気使用をモニタリングするためのコンピュータ命令を実行するよう構成されていてもよい。離散的なブロックとして示されているが、さまざまなブロックは、所望される実装に依存して、追加的なブロックに分割されたり、より少数のブロックに組み合わされたり、あるいはなしにされたりしてもよい。
【００８６】
方法６００は、ブロック６０２で始まってもよい。ここで、スマート・デバイスの動作プロファイルの変化が検出されてもよい。動作プロファイルの変化は、動作プロファイルの型の変化、選択された動作プロファイルの動作サブプロファイルの型の変化および／または動作プロファイルおよび／または動作サブプロファイルの動作範囲の変化を含んでいてもよい。スマート・デバイスの動作プロファイルの変化は、スマート・デバイスの電気使用に影響しうる。
【００８７】
ブロック６０４では、スマート・デバイスの電気使用が、現在の動作プロファイルについて決定されてもよい。現在の動作プロファイルは、動作プロファイルの検出された変化後の動作プロファイルであってもよい。現在の動作プロファイルについてのスマート・デバイスの電気使用は、動作プロファイル、動作サブプロファイルおよび動作プロファイルおよびサブプロファイルについての動作範囲についてのあらかじめ決定された電気使用情報に基づいて決定されてもよい。いくつかの実施形態では、スマート・デバイスの電気使用は、他の因子もあるが、スマート・デバイスの電気使用に影響したスマート・デバイスとの過去のユーザー対話、スマート・デバイスの過去の電気使用、前記あらかじめ決定された電気使用情報に基づいて予測されてもよい。
【００８８】
ブロック６０６では、スマート・デバイスの決定された電気使用に基づいて電気使用レポートが生成されてもよい。スマート・デバイスの決定された電気使用は、スマート・デバイスの予測された電気使用であってもよい。電気使用レポートは、スマート・デバイスの決定された電気使用およびスマート・デバイスによって収集された他の情報を含んでいてもよい。他の情報は、中でも、スマート・デバイスとのユーザー対話、スマート・デバイスの現在および過去の動作プロファイルなどである。代替的または例示的に、電気使用レポートは、スマート・デバイスによって収集される他の情報を含んでいて、スマート・デバイスの決定されたまたは予測された電気使用を含まなくてもよい。
【００８９】
ブロック６０８では、電気使用レポートがエネルギー管理システムに送信されてもよい。エネルギー管理システムは、スマート・デバイスが関連付けられているユニットの電気使用を決定するために電気使用レポートを使ってもよい。電気使用レポートは、スマート・デバイスについての粒度の細かい電気使用レポートをエネルギー管理システムに提供してもよい。
【００９０】
図７は、本稿に記載される少なくともいくつかの実施形態に基づいて構成された、電気使用をモニタリングする例示的な方法７００のフローチャートである。方法７００は、いくつかの実施形態では、図２の電気モニタリング・システムのような電気モニタリング・システムによって実装されてもよい。たとえば、図２のプロセッサ２３６は、方法７００のブロック７０２、７０４および／または７０６の一つまたは複数によって表される電気使用をモニタリングする動作を実行するためのコンピュータ命令を実行するよう構成されていてもよい。離散的なブロックとして示されているが、さまざまなブロックは、所望される実装に依存して、追加的なブロックに分割されたり、より少数のブロックに組み合わされたり、あるいはなしにされたりしてもよい。
【００９１】
方法７００は、ブロック７０２で始まってもよい。ここで、ユニットに関連付けられたスマート・デバイスから電気使用レポートが受信されてもよい。電気使用レポートは、スマート・デバイスについての電気使用を示してもよい。電気使用レポートはスマート・デバイスの電気使用の、スマート・デバイス自身による決定であってもよい。電気使用レポートは、スマート・デバイスの電気使用のほか、スマート・デバイスからの追加的な情報を含んでいてもよい。たとえば、電気使用レポートは、他の情報もあるが、スマート・デバイスとのスマート・デバイス・ユーザー対話、スマート・デバイスの動作プロファイルを含んでいてもよい。いくつかの実施形態では、電気使用レポートは、スマート・デバイスの電気使用に影響するスマート・デバイスに関連する人間の振る舞いに基づいていてもよい。代替的または追加的に、電気使用レポートは、現在の動作プロファイルについてのスマート・デバイスの過去の電気使用に基づく、予測された電気使用の量に基づいていてもよい。
【００９２】
ブロック７０４では、受信された電気使用レポートに基づいてユニットについてユニット電気使用レポートが生成されてもよい。ユニット電気使用レポートは、そのユニットについての電気使用を示してもよい。いくつかの実施形態では、ユニット電気使用レポートは、ユニットによって使用される電気の量に影響した過去の人間の振る舞いに基づいていてもよい。代替的または追加的に、ユニット電気使用レポートは、ユニットの予測される電気使用を含んでいてもよい。代替的または追加的に、ユニット電気使用レポートは、ユニットにおける電気生成の指標に基づいていてもよい。
【００９３】
ブロック７０６では、ユニット電気使用レポートは、ユニットについての電気の提供者に送信されてもよい。ユニットについての電気の提供者は、ユニット電気使用レポートを、他のユニットからのユニット電気使用レポートと組み合わせて使って、サービスエリアについての電気需要を決定してもよい。電気の提供者がサービスエリアについての電気需要を決定できることは、電気生成を電気需要にマッチさせる精度を高めることになりうる。
【００９４】
方法７００はさらに、ユニットに関連付けられた非スマート・デバイスの電気使用の変化を検出することを含んでいてもよい。これらおよび他の実施形態において、ユニット電気使用レポートは、非スマート・デバイスの電気使用の変化に基づいていてもよい。
【００９５】
方法７００はさらに、スマート・デバイスおよびユニットに関連付けられた装置の将来の電気使用を電気使用レポートに基づいて予測することを含んでいてもよい。前記装置の予測される将来の電気使用は、電気使用レポートおよび他のデータと組み合わせて、ユニット電気使用レポートを生成するために使用されてもよい。
【００９６】
方法７００はさらに、ユニットについての電気の提供者から低下した電気供給の指標を受信し、低下した電気使用のために、ユニットに関連付けられた複数のスマート・デバイスから少なくとも一つのスマート・デバイスを選択することを含んでいてもよい。前記複数のスマート・デバイスは、それについて電気レポートが受信される当該スマート・デバイスを含んでいてもよい。
【００９７】
本稿に記載される実施形態は、以下で詳細に論じるような、さまざまなコンピュータ・ハードウェアまたはソフトウェア・モジュールを含む特殊目的または汎用のコンピュータの使用を含んでいてもよい。
【００９８】
本稿に記載される実施形態は、コンピュータ実行可能命令またはデータ構造を担持するまたは記憶しているコンピュータ可読媒体を使って実装されてもよい。そのようなコンピュータ可読媒体は、汎用または特殊目的コンピュータによってアクセスされうるいかなる利用可能な媒体であってもよい。限定ではなく例として、そのようなコンピュータ可読媒体は、RAM、ROM、EEPROM、CD-ROMまたは他の光ディスク記憶、磁気ディスク記憶または他の磁気記憶デバイスまたはコンピュータ実行可能命令またはデータ構造の形の所望されるプログラム・コードを担持もしくは記憶するために使用でき汎用もしくは特殊目的コンピュータによってアクセスできる他の任意の媒体を含む有形のコンピュータ可読記憶媒体を含んでいてもよい。上記のものの組み合わせもコンピュータ可読媒体の範囲内に含まれうる。
【００９９】
コンピュータ実行可能命令はたとえば、汎用コンピュータ、特殊目的コンピュータまたは特殊目的処理装置に、ある機能または一群の機能を実行させる命令およびデータを含む。主題は構造的な特徴および／または方法論的な工程に固有の言語で記述されてきたが、付属の請求項において定義される主題は必ずしも上記の特定の特徴または工程に限定されないことは理解しておくものとする。むしろ、上記の個別的な特徴および工程は請求項を実装する例示的な形として開示されているのである。
【０１００】
本稿での用法では、「モジュール」または「コンポーネント」の用語は、コンピューティング・システム上で実行されるソフトウェア・オブジェクトまたはルーチンを指しうる。本稿に記載される種々のコンポーネント、モジュール、エンジンおよびサービスは、コンピューティング・システム上で実行されるオブジェクトまたはプロセスとして（たとえば別個のスレッドとして）実装されてもよい。本稿に記載されるシステムおよび方法は、好ましくはソフトウェアにおいて実装されるが、ハードウェアまたはソフトウェアとハードウェアの組み合わせにおける実装も可能であり、考えられている。本稿において、「コンピューティング・エンティティ」は、本稿で先に定義した任意のコンピューティング・システムまたはコンピューティング・システム上で走る任意のモジュールもしくはモジュレットの組み合わせであってよい。
【０１０１】
本稿に記載されるあらゆる例および条件付きの言辞は読者が本発明および当該技術を発達させるために発明者によって寄与される概念を理解するのを助ける教育上の目的のために意図されており、そのように個別的に記載されている例および条件に限定することなく解釈されるものとする。本発明の実施形態について詳細に記述してきたが、本発明の精神および範囲から外れることなく、それにさまざまな変更、置換および改変ができることは理解しておくべきである。
【０１０２】
以上の実施例を含む実施形態に関し、さらに以下の付記を開示する。
（付記１）
ユニット内の電気使用をモニタリングする電気モニタリング・システムであって：
ユニットに関連付けられたスマート・デバイスから、該スマート・デバイスについての電気使用を示す電気使用レポートを受信するよう構成されたトランシーバ・モジュールと；
受信された電気使用レポートに基づいて、前記ユニットについての電気使用を示す、前記ユニットのついてのユニット電気使用レポートを生成するよう構成された決定モジュールとを有しており、
前記トランシーバ・モジュールはさらに、前記ユニットについての電気の提供者に前記ユニット電気使用レポートを送信するよう構成されている、
システム。
（付記２）
前記電気使用レポートが、前記スマート・デバイスの電気使用に影響する前記スマート・デバイスに関連する人間挙動に基づく、付記１記載のシステム。
（付記３）
前記ユニットにおける電気生成を検出するよう構成された電気検出モジュールをさらに有する、付記１記載のシステムであって、
前記決定モジュールは、前記ユニット電気使用レポートを前記ユニットにおいて生成される電気に基づいて生成するよう構成されている、システム。
（付記４）
前記ユニットに関連付けられた非スマート・デバイスの電気使用の変化を検出するよう構成された電気検出モジュールをさらに有する、付記１記載のシステムであって、
前記ユニット電気使用レポートは、前記非スマート・デバイスの電気使用の変化に基づく、システム。
（付記５）
前記電気使用レポートに基づいて前記スマート・デバイスに関連付けられた装置および前記ユニットの将来の電気使用を予測するよう構成された予測モジュールをさらに有する、付記１記載のシステム。
（付記６）
前記ユニット電気使用レポートが、前記ユニットによって使用される電気の量に影響した過去の人間挙動に基づく、付記１記載のシステム。
（付記７）
前記ユニットについての電気の提供者からの低下した電気供給の指標に基づいて、前記スマート・デバイスを含む、前記ユニットに関連付けられた複数のスマート・デバイスのうちの一つまたは複数を、低下した電気使用のために選択するよう構成された需要応答モジュールをさらに有する、付記１記載のシステム。
（付記８）
電気使用をモニタリングする方法であって：
ユニットに関連付けられたスマート・デバイスから、該スマート・デバイスについての電気使用を示す電気使用レポートを受信する段階と；
受信された電気使用レポートに基づいて、前記ユニットについての電気使用を示す、前記ユニットのついてのユニット電気使用レポートを生成する段階と；
前記ユニットについての電気の提供者に前記ユニット電気使用レポートを送信する段階とを含む、
方法。
（付記９）
前記ユニットにおいて生成された電気の指標を受信する段階をさらに含む、付記８記載の方法であって、
前記ユニット電気使用レポートを前記ユニットにおける電気生成の前記指標に基づく、
方法。
（付記１０）
前記ユニットに関連付けられた非スマート・デバイスの電気使用の変化を検出する段階をさらに含む、付記８記載の方法であって、
前記ユニット電気使用レポートは、前記非スマート・デバイスの電気使用の変化に基づく、
方法。
（付記１１）
前記電気使用レポートに基づいて前記スマート・デバイスに関連付けられた装置および前記ユニットの将来の電気使用を予測する段階をさらに含む、付記８記載の方法。
（付記１２）
前記ユニット電気使用レポートが、前記ユニットによって使用される電気の量に影響した過去の人間挙動に基づく、付記８記載の方法。
（付記１３）
前記ユニットについての電気の提供者から低下した電気供給の指標を受信する段階と、前記スマート・デバイスを含む、前記ユニットに関連付けられた複数のスマート・デバイスから少なくとも一つのスマート・デバイスを、低下した電気使用のために選択する段階とを含む、付記８記載の方法。
（付記１４）
電気生成を制御する方法であって：
ユニットのユニット電気使用レポートを受信する段階であって、前記ユニット電気使用レポートは前記ユニットに関連付けられたスマート・デバイスからの電気使用レポートに少なくとも部分的に基づく、段階と；
前記ユニット電気使用レポートに基づいて電気生成を調整する段階とを含む、
方法。
（付記１５）
エネルギー・モニタリング・システムにおいて使うスマート・デバイスであって：
当該スマート・デバイスについての電気使用を示す電気使用レポートを生成するよう構成された決定モジュールと；
前記電気使用レポートを、当該スマート・デバイスが関連付けられているユニットのためのエネルギー・モニタリング・システムに送信するよう構成されたトランシーバ・モジュールとを有する
スマート・デバイス。
（付記１６）
前記ユニットが当該スマート・デバイスに電気を供給するインフラストラクチャーを含む、付記１５記載のスマート・デバイス。
（付記１７）
当該スマート・デバイスについての電気使用が、当該スマート・デバイスのある動作プロファイルについてのあらかじめ決定された量の電気使用に基づく、付記１５記載のスマート・デバイス。
（付記１８）
当該スマート・デバイスの前記動作プロファイルが：待機プロファイル、機能プロファイル、機能サスペンド・プロファイルまたは電源オフ・プロファイルのうちの任意のものを含む、付記１５記載のスマート・デバイス。
（付記１９）
当該スマート・デバイスの過去の電気使用に基づいて当該スマート・デバイスについての電気使用を予測するよう構成された予測モジュールをさらに有する、付記１５記載のスマート・デバイス。
（付記２０）
当該スマート・デバイスとのユーザー対話を受領するよう構成されたインターフェース・モジュールをさらに有する、付記１５記載のスマート・デバイスであって、
前記予測された量の電気使用が、当該スマート・デバイスの電気使用に影響した当該スマート・デバイスとの過去のユーザー対話に基づく、
スマート・デバイス。
【符号の説明】
【０１０３】
１００  スマートグリッド
１１０、１２０、１３０  ユニット
１１２、１２２、１３２  電気モニタリング・システム
１１４〜１１７、１２４〜１２８、１３４〜１３６  スマート・デバイス
１３７  発電機
１４０  近隣ネットワーク
１５０  公共ネットワーク
１６０  提供者ネットワーク
２００  ユニット
２２０  電気モニタリング・システム
２２２  トランシーバ・モジュール
２２４  電気検出モジュール
２２６  予測モジュール
２２８  決定モジュール
２３２  需要応答モジュール
２３４  インターフェース・モジュール
２３６  プロセッサ
２３８  メモリ
２４０  第一のスマート・デバイス
２５０  第二のスマート・デバイス
２６０  第三のスマート・デバイス
２８０  発電機
２７０  電気メーター
３００  ユニットの電気使用をモニタリングする例示的な方法
３０２  ユニットに関連付けられた非スマート・デバイスの電気使用の変化を検出
３０４  ユニットに関連付けられたスマート・デバイスからの電気使用レポートを受信
３０６  ユニットにおける電気生成を検出
３１０  ユニットの電気使用に変化？
３１２  ユニットについてのユニット電気使用レポートを生成
３１４  ユニット電気使用レポートをユニットについての電気の提供者に送信
４００  電気使用を管理する例示的な方法
４０２  ユニットからユニット電気使用レポートを受信
４０４  ユニットを含むサービスエリアの電気使用を更新
４０６  電気使用を満たすために電気生成が調整できるか？
４０８  電気使用に基づいて発電量を調整
４１０  電気使用低下要求をユニットに送信
５００  スマート・デバイス
５１０  決定モジュール
５２０  トランシーバ・モジュール
５３０  インターフェース・モジュール
５４０  プロセッサ
５５０  メモリ
５６０  予測モジュール
６００  スマート・デバイスの電気使用をモニタリングする例示的な方法
６０２  スマート・デバイスの動作プロファイルの変化を検出
６０４  現在の動作プロファイルについてのスマート・デバイスの電気使用を決定
６０６  スマート・デバイスの決定された電気使用に基づいて電気使用レポートを生成
６０８  電気使用レポートをエネルギー管理システムに送信
７００  電気使用をモニタリングする例示的な方法
７０２  ユニットに関連付けられたスマート・デバイスから、該スマート・デバイスについての電気使用を示す電気使用レポートを受信
７０４  受信された電気使用レポートに基づいてユニットについて、該ユニットについての電気使用を示すユニット電気使用レポートを生成
７０６  ユニット電気使用レポートを、ユニットのための電気提供者に送信
【図１】
2013258896.tif 000003
【図２】
2013258896.tif 000004
【図３】
2013258896.tif 000005
【図４】
2013258896.tif 000006
【図５】
2013258896.tif 000007
【図６】
2013258896.tif 000008
【図７】
2013258896.tif 000009